(57)【特許請求の範囲】
【請求項１】
天井位置の一方向に長手に連続し且つ水平又はほぼ水平な帯状の下端水平片と、前記下端水平片の幅方向中央部から上方向きに突設され、前記一方向に長手に連続する鉛直又はほぼ鉛直な帯状の鉛直片とを備えて構成されるＴバーが２本一対で平行又はほぼ平行に天井位置で配置され、その一対のＴバーの間に取付けられる照明器具であって、
前記Ｔバーの下端水平片の上側で且つ前記一対のＴバーの鉛直片間に配置され、発光体が取付けられ、前記Ｔバーの長手方向に長手な器具本体と、
少なくとも前記器具本体の長手方向両端部にあって前記器具本体の上端部に取付けられ、前記器具本体の幅方向に夫々がスライドする２個一対のスライド部材と、
前記スライド部材の夫々のうち前記器具本体の幅方向外側先端部に設けられ、前記Ｔバーの鉛直片の上端部に係合する係合部と、
少なくとも前記器具本体の長手方向両端部の上端部に形成され、前記器具本体の幅方向に長手な長穴と、
前記長穴を通じて前記スライド部材に螺合される止めネジと
を備えたことを特徴とする照明器具。
【請求項２】
前記長穴は、前記器具本体における発光体の取付部位の上方に形成したことを特徴とする請求項１に記載の照明器具。
【請求項３】
前記係合部は、
前記スライド部材から前記器具本体の幅方向外側に向けて突設され、前記Ｔバーの鉛直片の上端面に搭載される搭載部と、
前記スライド部材から前記器具本体の幅方向外側に向けて突設され、前記スライド部材を前記器具本体の幅方向外側に向けてスライドしたときに前記一対のＴバーの鉛直片の互いに向かい合う内側面に当接する当接部と
を備えて構成されることを特徴とする請求項１又は２に記載の照明器具。
【請求項４】
前記２個一対のスライド部材は、
前記器具本体の上端部に直接的に接触する第１スライド部材と、
前記第１スライド部材上に搭載される第２スライド部材とで構成され、
前記第２スライド部材が搭載される前記第１スライド部材のスライド面部には、前記第２スライド部材に螺合される止めネジを挿通する前記器具本体の幅方向に長手なスライド部材側長穴を形成した
ことを特徴とする請求項１乃至３の何れか一項に記載の照明器具。
【請求項５】
前記２個一対のスライド部材は同じ形状の２個の同形スライド部材の組合せで構成され、
前記同形スライド部材は、
前記係合部が形成される平板状の基部と、
前記基部と上下方向に同じ高さで前記基部から前記器具本体の幅方向に突出する平面視方形平板状の突出部と、
前記基部より上下方向に高い位置で前記突出部に隣接するようにして前記基部から前記突出部と同じ方向に突出し且つ前記突出部とは非連続な平面視方形平板状の規制部とを備えて構成され、
前記規制部には、前記一対を構成する相手側のスライド部材に螺合される止めネジを挿通する前記器具本体の幅方向に長手なスライド部材側長穴を形成したことを特徴とする請求項１乃至３の何れか一項に記載の照明器具。
【発明の詳細な説明】
【技術分野】
【０００１】
本発明は、照明器具に関し、特に天井位置に配置された２本一対のＴバー間に設置される照明器具として好適なものである。
【背景技術】
【０００２】
天井位置に配置されるＴバーは、例えばリップ溝形鋼（Ｃチャンネル）などで構成される横架材に２本一対で、互いに平行又はほぼ平行に懸架される。Ｔバーは、天井位置の一方向に長手に連続し且つ水平又はほぼ水平な帯状の下端水平片と、下端水平片の幅方向中央部から上方向きに突設され、下端水平片と同じ方向に長手に連続する鉛直又はほぼ鉛直な帯状の鉛直片とを備えて構成される。照明器具の器具本体は、これらのＴバーの下端水平片の上側で且つ一対のＴバーの鉛直片間に配置され、発光体が取付けられる。このような照明装置としては、例えば下記特許文献１に記載されるものがある。この照明器具は、器具本体をＴバーの下端水平片の上側で且つ一対のＴバーの鉛直片間に配置した状態で、その器具本体の上面に、器具本体の長手方向に移動可能に取付具を取付け、この取付具のうち、器具本体の幅方向両外側端部の夫々に、Ｔバーの鉛直片の上端部に係止する係止具を１つずつ２個一対で設ける。そして、これらの係止具のうちの少なくとも一方は、つまみネジによって取付具に固定されると共に、そのつまみネジを緩めた状態でつまみネジを中心に回動することにより、その係止具が器具本体の幅方向内側に後退できるようにしたものである。この照明器具では、一対の係止具のうちの少なくとも一方を器具本体の幅方向内側に後退した状態で器具本体を２本一対のＴバーの間に挿入することができ、器具本体のＴバー間への挿入後に、後退位置にある係止具を器具本体の幅方向外側に回動することで、２個一対の係止具がＴバーの鉛直片に係止して器具本体をＴバー間に取付けることができる。
【先行技術文献】
【特許文献】
【０００３】
【特許文献１】特許第３８１２０３４号公報
【発明の概要】
【発明が解決しようとする課題】
【０００４】
しかしながら、特許文献１に記載される照明器具では、器具本体のＴバー間への挿入後に、後退位置にある係止具を器具本体の幅方向外側に回動したり、係止具回動後に該当するつまみネジを回転して締付けたりする操作は、Ｔバー間に挿入された器具本体の上側で行う必要があることから、作業性に改善の余地がある。
本発明は、上記のような問題点に着目してなされたものであり、Ｔバー間への器具本体の取付作業性を向上することが可能な照明器具の提供を目的とするものである。
【課題を解決するための手段】
【０００５】
上記課題を解決するために、本発明の一態様によれば、天井位置の一方向に長手に連続し且つ水平又はほぼ水平な帯状の下端水平片と、下端水平片の幅方向中央部から上方向きに突設され、一方向に長手に連続する鉛直又はほぼ鉛直な帯状の鉛直片とを備えて構成されるＴバーが２本一対で平行又はほぼ平行に天井位置で配置され、その一対のＴバーの間に取付けられる照明器具であって、Ｔバーの下端水平片の上側で且つ一対のＴバーの鉛直片間に配置され、発光体が取付けられ、Ｔバーの長手方向に長手な器具本体と、少なくとも器具本体の長手方向両端部にあって器具本体の上端部に取付けられ、器具本体の幅方向に夫々がスライドする２個一対のスライド部材と、スライド部材の夫々のうち器具本体の幅方向外側先端部に設けられ、Ｔバーの鉛直片の上端部に係合する係合部とを備えた照明器具が提供される。
【発明の効果】
【０００６】
本発明の照明器具では、器具本体がＴバー間に配置されている状態で、スライド部材のスライドや固定を器具本体の下方から可能とすることで、Ｔバー間への器具本体の取付作業性を向上することができる。
【図面の簡単な説明】
【０００７】
【図１】本発明の照明器具の第１実施形態を示す分解図である。
【図２】図１の器具本体が２本一対のＴバー間に配置されている状態の斜視図である。
【図３】図１の器具本体を２本一対のＴバー間に取付けた状態の正面図である。
【図４】図１の照明器具を２本一対のＴバー間に取付けた状態の斜視図である。
【図５】本発明の照明器具の第２実施形態を示す分解図である。
【図６】図５の照明器具の同形スライド部材の説明図である。
【図７】図６の同形スライド部材を２個一対で組合せる場合の説明図である。
【図８】図５の器具本体を２本一対のＴバー間に取付けた状態の正面図である。
【図９】図５の照明器具を２本一対のＴバー間に取付けた状態の斜視図である。
【発明を実施するための形態】
【０００８】
以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
次に、本発明の照明器具の第１実施形態について図面を参照しながら説明する。図１には、この実施形態の照明器具の分解図、図２には、図１の照明器具の器具本体１が２本一対のＴバーＴ間に配置されている状態の斜視図を示す。図２に示すように、２本一対のＴバーＴは、リップ溝形鋼（Ｃチャンネル）のような横架材Ｍに懸架されている。横架材ＭやＴバーＴのレイアウトについては、前述した特許文献１に詳述されているので、ここでは、その詳細な説明は省略する。なお、Ｔバーの対は、天井位置に何対配置しても差し支えない。また、天井位置に複数対のＴバー対を配置する場合、夫々の対の方向が互いに一致する必要はない。
【０００９】
前述のように、ＴバーＴは、天井位置の一方向に長手に連続し且つ水平又はほぼ水平な帯状の下端水平片Ｈと、下端水平片Ｈの幅方向中央部から上方向きに突設され、下端水平片Ｈと同じ方向に長手に連続する鉛直又はほぼ鉛直な帯状の鉛直片Ｖとを備えて構成される。このＴバーＴは、２本一対で平行又はほぼ平行に天井位置で配置され、それら一対のＴバーＴの間にこの実施形態の照明器具の器具本体１を配置する。そのため、器具本体１は、ＴバーＴの長手方向に長手である。なお、これ以下、器具本体１を図２に示すように一対のＴバーＴの間に配置した状態、より具体的には器具本体１をＴバーＴの下端水平片Ｈの上側で且つ一対のＴバーＴの鉛直片Ｖ間に配置した状態で説明するものとして、文中の上下方向は図の上下方向に一致し、器具本体１の長手方向及び器具本体１の幅方向を水平面内の直交二方向の基準とする。また、器具本体１の長手方向は、単に器具本体長手方向、器具本体１の幅方向は、単に器具本体幅方向とも記す。
【００１０】
この実施形態の照明器具の器具本体１は、直管型の発光ダイオード（以下、ＬＥＤ（Light Emitting Diode））ランプＦを発光体として２本取付けて使用するものである。そのため、器具本体幅方向の断面形状で上方すぼまりの等脚台形断面が器具本体長手方向に連続して器具本体１の本体部２を構成する。従って、器具本体１の本体部２は、下端部が開口していると共に器具本体長手方向に長手であり、この本体部２の長手方向と直管ＬＥＤランプＦの長手方向を一致させて２本の直管ＬＥＤランプＦを一対の器具本体幅方向に配列して収納する。この本体部２の下方開口部のうち、２本の直管ＬＥＤランプＦの間には、ＬＥＤランプ収容部を分割し、直管ＬＥＤランプＦからの発光を反射するための反射分岐部材５２が取り付けられる。また、本体部２の下端周縁には周縁部３が形成されている。また、本体部２の上面部４には、配線用円穴５１が設けられている。この器具本体１は、金属製板材を折り曲げたりスポット溶接などにより接合・接続したりして形成されている。ちなみに、この実施形態の器具本体１を一対のＴバーＴの間に配置しても、器具本体１は横架材Ｍに干渉しないように構成されている。
【００１１】
この器具本体１の本体部２のうち、等脚台形断面の上辺を構成する上面部４には、器具本体長手方向両端部の夫々において、器具本体幅方向に長手な長穴５が形成されている。この長穴５は、後述するスライド部材に螺合される止めネジのネジ部が挿通されるものである。この実施形態では、長穴５は直管ＬＥＤランプＦからなる２本の発光体の取付部位の夫々の上方、つまり２本の直管ＬＥＤランプＦの収容部の夫々の上方に形成されている。従って、本体部２のうち、器具本体長手方向一方の端部あたり、２個一対の長穴５が形成されている。なお、器具本体１の長手方向端部とは、完全な長手方向端部だけでなく、長手方向端部寄りに相当する部位を含む。また、図１或いは図４に二点鎖線で示すように、複数対の長穴５を本体部２の器具本体長手方向両端部の夫々に形成してもよい。また、この長穴５は、本体部２のうち、器具本体長手方向両端部以外の部位に形成してもよく、それによりＴバーＴの配設状況によって使い分けることができる。即ち、ＴバーＴが著しく変形している箇所や後述するスライド部材との干渉箇所を避けてスライド部材を配置することが可能となる。
【００１２】
器具本体１の本体部２のうち、この長穴５の形成されている部位の上方には、２個一対のスライド部材６、７が配置されている。この２個一対のスライド部材６、７は、夫々、器具本体幅方向にスライドするものであり、この実施形態では、第１スライド部材６と第２スライド部材７の組合せで構成される。このうち、第１スライド部材６は、器具本体幅方向の一方の外側に配置される平面視方形の第１スライド部材基部６ａと、この第１スライド部材基部６ａから器具本体幅方向の他方の外側に向けて突設された平面視方形平板状のスライド面部９と、このスライド面部９に形成され、器具本体幅方向に長手なスライド部材側長穴１０と、第１スライド部材基部６ａに形成されたネジ穴１１とを備えて構成される。この第１スライド部材６は、器具本体１の本体部２の上面部４の上面に直接的に接触して配置される。
【００１３】
一方、第２スライド部材７は、第１スライド部材６のスライド面部９の上面、即ちスライド面上に搭載される平面視方形の第２スライド部材基部７ａで構成される。従って、第２スライド部材７は、第１スライド部材６の第１スライド部材基部６ａに対し、器具本体幅方向の他方の外側に配置される。また、第２スライド部材基部７ａにもネジ穴１１が形成されている。これら第１スライド部材６及び第２スライド部材７は、器具本体１の本体部２の下方からネジ部１２ｂが長穴５に差し込まれた止めネジ１２で本体部２に固定される。止めネジ１２は、ネジ部１２ｂとつまみ部１２ａを有し、ネジ部１２ｂを上向き、つまみ部１２ａを下向きにして使用する。
【００１４】
第１スライド部材６を器具本体１の本体部２に固定する場合には、この止めネジ１２のネジ部１２ｂを器具本体１の本体部２の下方から長穴５を通し、第１スライド部材基部６ａのネジ穴１１に螺合し締付けることで第１スライド部材６が器具本体１の本体部２に固定される。また、第２スライド部材７を器具本体１の本体部２に固定する場合には、器具本体１の本体部２の下方から長穴５に挿通された止めネジ１２のネジ部１２ｂを、更に第１スライド部材６のスライド部材側長穴１０に挿通し、その挿通部分を第２スライド部材基部７ａのネジ穴１１に螺合し締付けることで第２スライド部材７も器具本体１の本体部２に固定される。
【００１５】
また、第１スライド部材６及び第２スライド部材７の夫々を固定する止めネジ１２を緩めれば、第１スライド部材６及び第２スライド部材７の夫々を器具本体幅方向の何れにもスライドさせることができる。この場合、長穴５、スライド部材側長穴１０、及びそれらに挿通された止めネジ１２のネジ部１２ｂが、対をなす第１スライド部材６及び第２スライド部材７の夫々に対して、器具本体幅方向へのスライドガイドとなる。また、止めネジ１２の回転操作や第１スライド部材６及び第２スライド部材７の器具本体幅方向へのスライド操作は、止めネジ１２のつまみ部１２ａをつまんで、器具本体１の下方、つまり室内側から行うことができる。
【００１６】
第１スライド部材６の第１スライド部材基部６ａ及び第２スライド部材７の第２スライド部材基部７ａには、夫々、同じ形状の係合部１３が設けられている。この係合部１３は、ＴバーＴの鉛直片Ｖの上端部に係合するものであり、第１スライド部材６及び第２スライド部材７の夫々の器具本体幅方向外側先端部、つまり第１スライド部材基部６ａや第２スライド部材基部７ａに設けられている。この係合部１３は、第１スライド部材基部６ａ及び第２スライド部材基部７ａから器具本体幅方向外側に向けて突設され、ＴバーＴの鉛直片Ｖの上端面に搭載される搭載部１４と、第１スライド部材基部６ａ及び第２スライド部材基部７ａから器具本体幅方向外側に向けて突設され、第１スライド部材及び第２スライド部材７を器具本体幅方向外側に向けてスライドしたときに一対のＴバーＴの鉛直片Ｖの互いに向かい合う内側面に当接する当接部１５とを備えている。
【００１７】
更に、この実施形態では、搭載部１４の突出先端部から下方に向けて抜け止め部１６が形成されている。この抜け止め部１６は、第１スライド部材６及び第２スライド部材７を器具本体幅方向内側に向けてスライドしたとき、搭載部１４がＴバーＴの鉛直片Ｖ上端面から容易に抜け落ちてしまうのを規制するためのものである。なお、第１スライド部材６及び第２スライド部材７並びに係合部１３は、金属製板材を折り曲げたりスポット溶接などにより接合・接続したりして形成されている。
【００１８】
この実施形態の照明器具の器具本体１を２本一対のＴバーＴ間に取付ける場合には、２個一対の第１スライド部材６及び第２スライド部材７を器具本体幅方向内側に退避させている状態で器具本体１を一対のＴバーＴの間に挿入する。このとき、器具本体幅方向内側に退避させた第１スライド部材６及び第２スライド部材７の器具本体幅方向外側端部、つまり係合部１３の搭載部１４や当接部１５の先端部は、器具本体１の器具本体幅方向外側端部、つまり周縁部３よりも器具本体幅方向内側に位置しているので、第１スライド部材６及び第２スライド部材７がＴバーＴと干渉することはない。
【００１９】
器具本体１を一対のＴバーＴの間に挿入したら、器具本体１を少し持ち上げ、止めネジ１２が弛んでいる状態で止めネジ１２のつまみ部１２ａをつまみ、夫々の止めネジ１２のつまみ部１２ａを器具本体幅方向外側に移動させて第１スライド部材６及び第２スライド部材７の夫々を器具本体幅方向外側にスライドする。第１スライド部材６及び第２スライド部材７の夫々を器具本体幅方向外側にスライドすると、図３に示すように、係合部１３の当接部１５が一対のＴバーＴの鉛直片Ｖの互いに向かい合う内側面に当接するので、その状態で、つまみ部１２ａを回転して止めネジ１２を螺合し締付け、第１スライド部材６及び第２スライド部材７を器具本体１の本体部２に固定する。これにより、器具本体１が２本一対のＴバーＴの間に位置決めされる。
【００２０】
このとき、照明器具を設置する建物の建築年数が長いといったような場合には、２本一対のＴバーＴが互いに平行でないこともある。この実施形態の照明器具では、器具本体１を位置決めする際、第１スライド部材６及び第２スライド部材７が器具本体幅方向に自在にスライドするので、器具本体１を２本一対のＴバーＴの間で器具本体幅方向に自在に配置することができ、その結果、器具本体１を適正な位置に位置決めすることが可能となる。そして、この状態で、器具本体１を下降すれば、係合部１３の搭載部１４がＴバーＴの鉛直片Ｖの上端面に搭載され、図４に示すように、器具本体１が一対のＴバーＴ間に取付けられる。器具本体１が一対のＴバーＴ間に取付けられたら、発光体である直管ＬＥＤランプＦや反射分岐部材５２を器具本体１に取付け、照明器具の取付けが完了する。
【００２１】
直管ＬＥＤランプＦを器具本体１の本体部２のＬＥＤランプ収容部に収容して取付けると、長穴５や止めネジ１２は直管ＬＥＤランプＦの上方に位置するので、下方から、つまり室内側からは長穴５や止めネジ１２は直管ＬＥＤランプＦに隠れて見えず、体裁がよい。なお、器具本体１の本体部２に形成する長穴５を本体部２の器具本体長手方向両端部に複数対形成しておけば、干渉物と第１スライド部材６及び第２スライド部材７との干渉を回避して第１スライド部材６及び第２スライド部材７を適正な位置に配置することが可能となる。
【００２２】
このように、この実施形態の照明器具では、下端水平片Ｈと鉛直片Ｖとを備えて構成されるＴバーＴが２本一対で平行又はほぼ平行に天井位置で配置され、その一対のＴバーＴの間に照明器具を取付けられる場合に、少なくとも器具本体１のうち器具本体長手方向両端部の上端部に、器具本体幅方向に夫々がスライドする２個一対のスライド部材６、７を取付ける。また、スライド部材６、７の夫々の器具本体幅方向先端部には、ＴバーＴの鉛直片Ｖの上端部に係合する係合部１３を設ける。これにより、器具本体１がＴバーＴ間に配置されている状態で、スライド部材６、７の器具本体幅方向へのスライドや器具本体１への固定を器具本体１の下方から可能とすることで、ＴバーＴ間への器具本体１の取付作業性を向上することができる。
【００２３】
また、器具本体幅方向に長手な長穴５を器具本体１の上端部に形成し、その長穴５を通した止めネジ１２をスライド部材６、７に螺合する。これにより、スライド部材６、７の器具本体幅方向へのスライドや器具本体１への固定をつまんだ止めネジ１２で器具本体１の下方から行うことができ、ＴバーＴ間への器具本体１の取付作業性を確実に向上することができる。
【００２４】
また、器具本体１における直管ＬＥＤランプ（発光体）Ｆの取付部位の上方に長穴５を形成することで、発光体の取付後は、長穴５や止めネジ１２は直管ＬＥＤランプ（発光体）Ｆに隠れて室内側から見えなくなる。
また、係合部１３には、スライド部材６、７から器具本体幅方向外側に向けて突設されてＴバーＴの鉛直片Ｖの上端面に搭載される搭載部１４と、スライド部材６、７から器具本体幅方向外側に向けて突設されて一対のＴバーＴの鉛直片Ｖの互いに向かい合う内側面に当接する当接部１５とを設けた。これにより、ＴバーＴ間における器具本体１の位置決めを容易且つ適切に行えると共に、ＴバーＴ間への器具本体１の取付が容易になって取付作業性がより一層向上する。
【００２５】
また、２個一対のスライド部材を、器具本体１の上端部に直接的に接触する第１スライド部材６と、第１スライド部材６上に搭載される第２スライド部材７とで構成し、第２スライド部材７が搭載される第１スライド部材６のスライド面部９には、第２スライド部材７に螺合される止めネジ１２を挿通する器具本体幅方向に長手なスライド部材側長穴１０を形成した。これにより、器具本体１側の長穴５、スライド部材側長穴１０、止めネジ１２が互いにガイドとなって、第１スライド部材６及び第２スライド部材７の器具本体幅方向へのスライドが安定する。
【００２６】
次に、本発明の照明器具の第２実施形態について図面を参照しながら説明する。図５には、この実施形態の照明器具の分解図を示す。この実施形態における２本一対のＴバーＴやリップ溝形鋼（Ｃチャンネル）のような横架材Ｍのレイアウトは第１実施形態のものと同様であるので、その詳細な説明は省略する。なお、第１実施形態と同様に、第２実施形態の説明は、器具本体１を一対のＴバーＴの間に配置した状態、より具体的には器具本体１をＴバーＴの下端水平片Ｈの上側で且つ一対のＴバーＴの鉛直片Ｖ間に配置した状態で説明するものとし、文中の上下方向は図の上下方向に一致し、器具本体長手方向及び器具本体幅方向を水平面内の直交二方向の基準とする。
【００２７】
この実施形態の照明器具の器具本体１は、ライン型のＬＥＤユニットＥを発光体として１本取付けて使用するものである。そのため、第１実施形態と同様に、器具本体長手方向と直交方向の断面形状で上方すぼまりの等脚台形断面と、その上方に連結された方形断面とが器具本体長手方向に連続して器具本体１の本体部２を構成する。この本体部２は、下端部が開口していると共に器具本体長手方向に長手であり、この本体部２の長手方向とラインＬＥＤユニットＥの長手方向を一致させて１本のラインＬＥＤユニットＥを器具本体幅方向中央部に配置して収納する。この本体部２の下端周縁には、第１実施形態と同様に、周縁部３が形成されている。また、本体部２の上面部４には、配線用円穴５１が設けられている。この器具本体１は、金属製板材を折り曲げたりスポット溶接などにより接合・接続したりして形成されている。ちなみに、この実施形態の器具本体１を一対のＴバーＴの間に配置しても、器具本体１は横架材Ｍに干渉しないように構成されている。
【００２８】
この器具本体１の本体部２のうち、方形断面の上辺を構成する上面部４には、器具本体長手方向両端部の夫々において、器具本体幅方向に長手な長穴５が形成されている。但し、図では、後述するガイド部材１７に隠れており、このガイド部材１７に形成されたガイド部材側長穴１８と同じ位置に形成されている。この長穴５は、後述するスライド部材に螺合される止めネジ１２のネジ部１２ｂが挿通されるものである。この実施形態では、長穴５はラインＬＥＤユニットＥからなる発光体の取付部位の上方、つまりラインＬＥＤユニットＥの収容部の上方に形成されている。また、この長穴５は、本体部２のうち、器具本体長手方向一方の端部あたり、２個一対で器具本体長手方向に並べて形成されている。なお、器具本体１の長手方向端部とは、完全な長手方向端部だけでなく、長手方向端部寄りに相当する部位を含む。また、図５或いは図９に二点鎖線で示すように、第１実施形態と同様、複数対の長穴５を本体部２の器具本体長手方向両端部の夫々に形成してもよい。また、この長穴５は、本体部２のうち、器具本体長手方向両端部以外の部位に形成してもよい。
【００２９】
器具本体１の本体部２のうち、この長穴５の形成されている部位の上面部４にはガイド部材１７が接合され、このガイド部材１７の上方には、２個一対のスライド部材８が配置されている。このうちガイド部材１７は、比較的薄い長方形の金属製板材をブリッジ状に折り曲げて形成され、その脚部１７ａが器具本体１の周縁部３の器具本体幅方向両端側に接合され、脚部１７ａ間の連結部１７ｂが本体部２の上面部４に接合されている。また、ガイド部材１７の連結部１７ｂには本体部２の長穴５と同様のガイド部材側長穴１８が形成され、その連結部１７ｂの器具本体長手方向両端部が上方に折り曲げられてガイド部材側ガイド部１９を構成している。このガイド部材１７は、後述するように、スライド部材８の器具本体幅方向へのスライドを安定してガイドするものであるが、このガイド部材１７がなくても、この実施形態の照明器具は成立する。一方、ガイド部材１７を介装することにより、上面部が平坦でない器具本体にもスライド部材を容易に配置することが可能となる。
【００３０】
２個一対のスライド部材８は、夫々、器具本体幅方向にスライドするものであり、この実施形態では、２個の同形スライド部材８の組合せで構成される。図６（ａ）には同形スライド部材８の平面図を、図６（ｂ）には同形スライド部材８の底面図を示す。この同形スライド部材８は、器具本体幅方向両外側の夫々に配置される平面視方形の同形スライド部材基部８ａと、この同形スライド部材基部８ａと上下方向に同じ高さで同形スライド部材基部８ａから器具本体幅方向に突出する平面視方形平板状の突出部２０と、同形スライド部材基部８ａより上下方向に高い位置で突出部２０に隣接するようにして同形スライド部材基部８ａから突出部２０と同じ方向に突出し且つ突出部２０とは非連続な平面視方形平板状の規制部２１とを備えて構成される。
【００３１】
この実施形態では、同形スライド部材基部８ａと突出部２０とは同一の金属製板材で形成され、同じく金属製板材で形成された別部材の規制部２１が同形スライド部材基部８ａの上面にスポット溶接などにより接合されて同形スライド部材８が形成されている。更に、この実施形態では、同形スライド部材基部８ａ及び突出部２０の器具本体長手方向両端部を上方に折り曲げてスライド部材側ガイド部２２が形成されている。このスライド部材側ガイド部２２の器具本体長手方向外側面がガイド部材側ガイド部１９の器具本体長手方向内側面に摺接して同形スライド部材８の器具本体幅方向へのスライドがガイドされる。
【００３２】
また、同形スライド部材８の突出部２０にはネジ穴１１が形成され、規制部２１にはスライド部材側長穴１０が形成されている。このうち、同形スライド部材８の突出部２０に形成されたネジ穴１１は、器具本体１の本体部２の下方から長穴５に差し込まれた止めネジ１２のネジ部１２ｂが螺合されるものである。この止めネジ１２は、ネジ部１２ｂとつまみ部１２ａを有し、ネジ部１２ｂを上向き、つまみ部１２ａを下向きにして使用する。従って、長穴５に挿通された止めネジ１２のネジ部１２ｂを同形スライド部材８の突出部２０に形成されたネジ穴１１に螺合し締付ければ同形スライド部材８は器具本体１の本体部２に固定される。そして、同形スライド部材８の規制部２１に形成されたスライド部材側長穴１０は、対を構成する相手側の同形スライド部材８に螺合される止めネジ１２のネジ部１２ｂが挿通される。
【００３３】
この２個の同形スライド部材８を組合せて対を構成する場合には、図７に示すように、お互いの突出部２０と規制部２１が向かい合うようにして、互いに突出部２０の上方に規制部２１を差し込む。これにより、組合された１個一対の同形スライド部材８は、互いに突出部２０の上方に規制部２１が重ね合わされているので、突出部２０のネジ穴１１に螺合された止めネジ１２のネジ部１２ｂの突出部が規制部２１のスライド部材側長穴１０を貫通する。従って、前述のように、器具本体１の本体部２の下方からネジ部１２ｂが長穴５に差し込まれた止めネジ１２を同形スライド部材８の突出部２０のネジ穴１１に螺合し締め付ければ、２個の同形スライド部材８は夫々器具本体１に固定される。
【００３４】
また、同形スライド部材８の夫々を固定する止めネジ１２を緩めれば、同形スライド部材８の夫々を器具本体幅方向の何れにもスライドさせることができる。この場合、長穴５、スライド部材側長穴１０、及びそれらに挿通された止めネジ１２のネジ部１２ｂも、対をなす同形スライド部材８の夫々に対して、器具本体幅方向へのスライドガイドとなる。また、止めネジ１２の回転操作や同形スライド部材８の器具本体幅方向へのスライド操作は、止めネジ１２のつまみ部１２ａをつまんで、器具本体１の下方、つまり室内側から行うことができる。なお、この実施形態では、対をなす２個の同形スライド部材８を同じ方向にスライドさせることもできる。そして、設置場所によっては、２個の同形スライド部材８を同じ方向にスライドした方が設置しやすい場合もある。
【００３５】
同形スライド部材８の同形スライド部材基部８ａには係合部１３が設けられている。この係合部１３は、第１実施形態と同様に、ＴバーＴの鉛直片Ｖの上端部に係合するものであり、同形スライド部材８の夫々の器具本体幅方向外側先端部、つまり同形スライド部材基部８ａに設けられている。この係合部１３は、同形スライド部材基部８ａから器具本体幅方向外側に向けて突設され、ＴバーＴの鉛直片Ｖの上端面に搭載される搭載部１４と、同形スライド部材基部８ａから器具本体幅方向外側に向けて突設され、同形スライド部材８を器具本体幅方向外側に向けてスライドしたときに一対のＴバーＴの鉛直片Ｖの互いに向かい合う内側面に当接する当接部１５とを備えている。
【００３６】
更に、この実施形態では、第１実施形態と同様に、搭載部１４の突出先端部から下方に向けて抜け止め部１６が形成されている。この抜け止め部１６は、同形スライド部材８を器具本体幅方向内側に向けてスライドしたとき、搭載部１４がＴバーＴの鉛直片Ｖ上端面から容易に抜け落ちてしまうのを規制するためのものである。なお、この係合部１３は、同形スライド部材８と同様に、金属製板材を折り曲げたりスポット溶接などにより接合・接続したりして形成されており、特に当接部１５は同形スライド部材基部８ａと同一の板材で形成されている。
【００３７】
この実施形態の照明器具の器具本体１を２本一対のＴバーＴ間に取付ける場合には、２個一対の同形スライド部材８を器具本体幅方向内側に退避させている状態で器具本体１を一対のＴバーＴの間に挿入する。このとき、器具本体幅方向内側に退避させた同形スライド部材８の器具本体幅方向外側端部、つまり係合部１３の搭載部１４や当接部１５の先端部は、器具本体１の器具本体幅方向外側端部、つまり周縁部３よりも器具本体幅方向内側に位置しているので、同形スライド部材８がＴバーＴと干渉することはない。
【００３８】
器具本体１を一対のＴバーＴの間に挿入したら、器具本体１を少し持ち上げ、止めネジ１２が弛んでいる状態で止めネジ１２のつまみ部１２ａをつまみ、夫々の止めネジ１２のつまみ部１２ａを器具本体幅方向外側に移動させて２個の同形スライド部材８の夫々を器具本体幅方向外側にスライドする。２個の同形スライド部材８の夫々を器具本体幅方向外側にスライドすると、図８に示すように、係合部１３の当接部１５が一対のＴバーＴの鉛直片Ｖの互いに向かい合う内側面に当接するので、その状態で、つまみ部１２ａを回転して止めネジ１２を螺合し締付け、２個の同形スライド部材８の夫々を器具本体１の本体部２に固定する。これにより、器具本体１が２本一対のＴバーＴの間に位置決めされる。
【００３９】
このとき、照明器具を設置する建物の建築年数が長いといったような場合には、２本一対のＴバーＴが互いに平行でないこともある。この実施形態の照明器具では、器具本体１を位置決めする際、第１実施形態と同様に、２個の同形スライド部材８の夫々が器具本体幅方向に自在にスライドするので、器具本体１を２本一対のＴバーＴの間で器具本体幅方向に自在に配置することができ、その結果、器具本体１を適正な位置に位置決めすることが可能となる。そして、この状態で、器具本体１を下降すれば、係合部１３の搭載部１４がＴバーＴの鉛直片Ｖの上端面に搭載され、図９に示すように、器具本体１が一対のＴバーＴ間に取付けられる。器具本体１が一対のＴバーＴ間に取付けられたら、発光体であるラインＬＥＤユニットＥを器具本体１に取付け、照明器具の取付けが完了する。
【００４０】
ラインＬＥＤユニットＥを器具本体１の本体部２のラインＬＥＤユニット収容部に収容して取付けると、長穴５や止めネジ１２はラインＬＥＤユニットＥの上方に位置するので、下方から、つまり室内側からは長穴５や止めネジ１２はラインＬＥＤユニットＥに隠れて見えず、体裁がよい。なお、器具本体１の本体部２に形成する長穴５を本体部２の器具本体長手方向両端部に複数対形成しておけば、干渉物と同形スライド部材８との干渉を回避して同形スライド部材８を適正な位置に配置することが可能となる。
【００４１】
このように、この実施形態の照明器具では、第１実施形態と同様の効果が得られる。また、２個一対のスライド部材を同じ形状の２個の同形スライド部材８の組合せで構成し、同形スライド部材８の夫々は、係合部１３が形成される平板状の同形スライド部材基部８ａと、同形スライド部材基部８ａと上下方向に同じ高さで同形スライド部材基部８ａから器具本体幅方向に突出する平面視方形平板状の突出部２０と、同形スライド部材基部８ａより上下方向に高い位置で突出部２０に隣接するようにして同形スライド部材基部８ａから突出部２０と同じ方向に突出し且つ突出部２０とは非連続な平面視方形平板状の規制部２１とを備えて構成され、規制部２１には、対を構成する相手側の同形スライド部材８に螺合される止めネジ１２を挿通する器具本体幅方向に長手なスライド部材側長穴１０を形成した。これにより、器具本体１側の長穴５、スライド部材側長穴１０、止めネジ１２が互いにガイドとなって、同形スライド部材８の器具本体幅方向へのスライドが安定すると共に、２個のスライド部材を同じ形状とすることで部品点数を低減することができる。
【００４２】
なお、前述の実施形態では、何れもＬＥＤランプ或いはＬＥＤユニットを発光体に用いたが、これに代えて蛍光灯を使用することも可能である。
本発明がここに記載していない様々な実施の形態等を含むことは勿論である。従って、本発明の技術的範囲は上記の説明から妥当な特許請求の範囲に記載された発明特定事項によってのみ定められるものである。
【符号の説明】
【００４３】
１  器具本体
２  本体部
３  周縁部
４  上面部
５  長穴
６  第１スライド部材（スライド部材）
６ａ  第１スライド部材基部
７  第２スライド部材（スライド部材）
７ａ  第２スライド部材基部
８  同形スライド部材（スライド部材）
８ａ  同形スライド部材基部（基部）
９  スライド面部
１０  スライド部材側長穴
１１  ネジ穴
１２  止めネジ
１２ａ  つまみ部
１２ｂ  ネジ部
１３  係合部
１４  搭載部
１５  当接部
１６  抜け止め部
１７  ガイド部材
１８  ガイド部材側長穴
１９  ガイド部材側ガイド部
２０  突出部
２１  規制部
２２  スライド部材側ガイド部
５１  配線用円穴
５２  反射分岐部材
Ｍ  横架材
Ｔ  Ｔバー
Ｈ  下端水平片
Ｖ  鉛直片
Ｆ  直管ＬＥＤランプ（発光体）
Ｅ  ラインＬＥＤユニット（発光体）
【図１】
0006533408.tif 000002
【図２】
0006533408.tif 000003
【図３】
0006533408.tif 000004
【図４】
0006533408.tif 000005
【図５】
0006533408.tif 000006
【図６】
0006533408.tif 000007
【図７】
0006533408.tif 000008
【図８】
0006533408.tif 000009
【図９】
0006533408.tif 000010